(57)【要約】【課題】  複数のケーブルの切り離しを一括した簡易な作業とすることができ、切り離し後の複数のケーブルを簡易に独立した状態とすることができる着脱機構を備える画像処理装置を提供すること。【解決手段】  ユーザが押しボタン９５ａを押し下げると、ロッド９５ｂが押し下げられ、フレーム部材９１が実線で示す接続位置から一点鎖線で示す退避位置に移動する。この結果、固定側接続端Ｅ６等がインターフェイスパネル部材４１の奥に引っ込んだ状態となる。一方、外部ケーブルコネクタ８０は、ハウジング８５が制限部材となって同一位置に保持されるので、固定側接続端Ｅ６と着脱側接続端８３とが分離されて、外部ケーブルコネクタ８０の切り離しが完了する。【選択図】  図７
2006293122.tif 000002
【特許請求の範囲】
【請求項１】
所定の画像を表示するための画像処理を、電気的な信号処理によって行う回路装置と、
前記回路装置に電気的に接続されるとともに外部の複数のケーブルコネクタをそれぞれ接続可能とした複数の本体コネクタを一体的に固定したコネクタブロックと、
前記複数の本体コネクタの接続端を露出させるとともに当該接続端の周辺を覆うように、前記コネクタブロックを覆うインターフェイスパネル部材と、
前記コネクタブロックと前記インターフェイスパネル部材とを離間させるように移動させるための離間機構と
を備える画像処理装置。
【請求項２】
前記離間機構は、操作用の押しボタンと、当該押しボタンに連動して前記コネクタブロックを前記インターフェイスパネル部材から離間するように相対的に移動させる移動機構とを有することを特徴とする請求項１記載の画像処理装置。
【請求項３】
前記複数の本体コネクタは、それぞれ、前記ケーブルコネクタの軸方向の摺動を許容する嵌合固定型の部材であることを特徴とする請求項１及び請求項２のいずれか一項記載の画像処理装置。
【請求項４】
前記複数の本体コネクタのうち所定の本体コネクタは、前記ケーブルコネクタに設けた固定用の雄ネジを受け入れる受容部を有し、前記受容部は、前記雄ネジの先端を対向する側面方向から挟むクリップ状の部材であることを特徴とする請求項３記載のプロジェクタ。
【請求項５】
画像形成及び画像投射用の映像光学系をさらに備え、
前記回路装置は、前記映像光学系を動作させる映像回路を有し、
前記映像光学系及び前記映像回路は、画像投影用のプロジェクタ本体を構成することを特徴とする請求項１から請求項４のいずれか一項記載の画像処理装置。
【発明の詳細な説明】
【技術分野】
【０００１】
本発明は、液晶パネル等を用いて画像を投射するプロジェクタその他の画像処理装置に関する。
【背景技術】
【０００２】
プロジェクタその他の画像処理装置は、外部信号を受信したり処理後の信号を送信する目的で、各種規格に適合するコネクタを埋め込んだインターフェイスパネルを備える。このようなインターフェイスパネルに接続された外部からのケーブルコネクタを外す際には、プロジェクタのケースを押えつつ、ケーブルコネクタの接続部分を握って、これにインターフェイスパネルから離すような力を与えて引き抜く作業が行われる。
【０００３】
なお、一般的なケーブルコネクタの着脱方法として、接続部分を構成する２つの接続部分の間にテコの原理で動作する引き抜き用のレバーを設けたものが存在する（特許文献１，２）。また、ガイドピンをコネクタとともに押し出すカム等の機械機構を設けることによってケーブルコネクタを切り離すものも存在する（特許文献３）。
【０００４】
さらに、一般的なケーブルコネクタの別の着脱方法として、複数の電気コネクタを一体化したコネクタ保持部材をケース内に収納した構造の電気コネクタ着脱装置を利用するものが存在する（特許文献４）。この電気コネクタ着脱装置では、ケースに設けたスライド溝を利用して、コンピュータ端末装置に当該ケースを取付け可能とするとともに、ケース内でコネクタ保持部材を差し込み方向に移動させることによって、全電気コネクタを一括してコンピュータ端末装置の電気コネクタに接合固定或いは分離する。
【特許文献１】実開昭６１−９９９８９号公報
【特許文献２】特開平５−３３５０４９号公報
【特許文献３】実開平６−２９０３７号公報
【特許文献４】特開平６−１１１８８４号公報
【発明の開示】
【発明が解決しようとする課題】
【０００５】
しかしながら、ケーブルコネクタの接続部分を握って手作業で引き抜く方法は、プロジェクタの使用後に熱くなっているケース部分を触る可能性があり、或いはケース表面に設けた操作パネルを避けるようにケースを押えることが困難である場合があり、ユーザにとって不快若しくは煩雑な着脱作業となっていた。特に複数のケーブルを接続している場合、上記のような煩雑な作業を複数回繰り返すことになり、プロジェクタを使い慣れないユーザにとっては、ケーブルの着脱が大変煩わしい作業であると感じさせる原因となっている。
【０００６】
また、レバー等の機械機構を用いてケーブルコネクタを分離する方法では、着脱の作業性を若干高めることができるものの、複数のコネクタを同時に切り離すことができない。また、ネジ等によって固定するタイプのコネクタに適用しようとした場合、レバー等が機能せず、ケーブルコネクタの分離は不可能である。
【０００７】
また、複数の電気コネクタを一体化して内蔵する電気コネクタ着脱装置を利用する方法では、複数の電気コネクタを一体のものとして取り扱わなければならず、最終的には、電気コネクタ着脱装置の背面のコネクタから各ケーブルを別途引き抜く必要が生じる。
【０００８】
そこで、本発明は、複数のケーブルの切り離しを一括した簡易な作業とすることができ、切り離し後の複数のケーブルを簡易に独立した状態とすることができる着脱機構を備える画像処理装置を提供することを目的とする。
【課題を解決するための手段】
【０００９】
上記課題を解決するため、本発明に係る画像処理装置は、（ａ）所定の画像を表示するための画像処理を、電気的な信号処理によって行う回路装置と、（ｂ）回路装置に電気的に接続されるとともに外部の複数のケーブルコネクタをそれぞれ接続可能とした複数の本体コネクタを一体的に固定したコネクタブロックと、（ｃ）複数の本体コネクタの接続端を露出させるとともに当該接続端の周辺を覆うように、コネクタブロックを覆うインターフェイスパネル部材と、（ｄ）コネクタブロックとインターフェイスパネル部材とを離間させるように移動させるための離間機構とを備える。
【００１０】
上記画像処理装置では、離間機構がコネクタブロックとインターフェイスパネル部材とを離間させるように移動させるので、各本体コネクタの接続端の周囲にはみ出したつまみ部分を介して各ケーブルコネクタをインターフェイスパネル部材に係止することができ、コネクタブロックから離間するインターフェイスパネル部材を利用して各ケーブルコネクタを各本体コネクタから引き抜く作業が可能になる。これにより、複数のケーブルコネクタをコネクタブロックから一括して切り離すことができ、切り離された各ケーブルコネクタを個別に独立した状態とすることができる。
【００１１】
本発明の具体的側面又は態様によれば、上記画像処理装置において、離間機構が、操作用の押しボタンと、当該押しボタンに連動してコネクタブロックをインターフェイスパネル部材から離間するように相対的に移動させる移動機構とを有する。この場合、ボタン操作に連動して各ケーブルコネクタをコネクタブロックから切り離すことができ、ケーブルの切り離し作業を簡易で効率的なものとすることができる。
【００１２】
本発明の別の具体的側面によれば、複数の本体コネクタが、それぞれ、ケーブルコネクタの軸方向の摺動を許容する嵌合固定型の部材である。この場合、全てのケーブルコネクタをインターフェイスパネル部材の移動のみによって引き抜くことができ、ケーブルの切り離し作業を簡単化することができる。
【００１３】
本発明のさらに別の具体的側面によれば、複数の本体コネクタのうち所定の本体コネクタが、ケーブルコネクタに設けた固定用の雄ネジを受け入れる受容部を有し、受容部が、雄ネジの先端を対向する側面方向から挟むクリップ状の部材である。これにより、ケーブルコネクタが固定用の雄ネジを有する場合であっても、ネジをほどくことなくケーブルコネクタを本体コネクタから切り離すことができる。また、クリップ状の部材によりケーブルコネクタを一定以上の確実性で対応する本体コネクタに固定することができる。
【００１４】
また、本発明のさらに別の具体的側面によれば、（ａ）画像形成及び画像投射用の映像光学系をさらに備え、（ｂ）回路装置が、映像光学系を動作させる映像回路を有し、（ｃ）映像光学系及び映像回路が、画像投影用のプロジェクタ本体を構成する。この場合、プロジェクタ本体によって画像を投影することができ、画像投影後すなわち使用後は、簡易な操作によって、全てのケーブルコネクタをコネクタブロックから一括して切り離すことができる。
【発明を実施するための最良の形態】
【００１５】
〔第１実施形態〕
図１は、本発明の第１実施形態に係るプロジェクタの外観を説明する斜視図であり、図２は、図１のプロジェクタの内部構造を説明する平面図である。
【００１６】
このプロジェクタ１０は、全体を覆う外装ケース１２内に、光学エンジンユニットとも呼ばれる映像光学系１３と、ランプ光源等に電力を供給する電源装置１４と、ランプ光源等を空冷するための冷却ファンユニット１５と、上層部に配置され装置全体の動作を制御する回路装置１６と、コンピュータその他の外部装置との間で信号を授受するためのインターフェイス部１７とを備える。ここで、映像光学系１３及び回路装置１６は、画像投影用のプロジェクタ本体を構成する。
【００１７】
外装ケース１２の背面１２ａには、インターフェイス部１７が露出しており、インターフェイス部１７上には、複数種類の本体コネクタＢＣ１〜ＢＣ７が適当な間隔で配列されている。外装ケース１２の上面１２ｂには、操作パネル２１が設けられており、操作パネル２１上には、プロジェクタ１０の動作状態を調節するための各種ボタン２１ａが適当な配列で形成されている。
【００１８】
映像光学系１３は、光源光を発生する光源装置３１と、ダイクロイックミラー（不図示）等からなり光源装置３１からの光源光をＲＧＢの３色に分割する色分離光学系３３と、色分離光学系３３から射出された各色の照明光によってそれぞれ照明される３つの液晶ライトバルブ３５ａ，３５ｂ，３５ｃを有する光変調部３５と、光変調部３５からの各色の像光を合成するクロスダイクロイックプリズム３７と、クロスダイクロイックプリズム３７を経た像光を不図示のスクリーンに投射するための投射光学系である投射レンズ３８とを備える。
【００１９】
電源装置１４は、光源装置３１に設けたランプ光源を所望の輝度で点灯させるとともに、冷却ファンユニット１５や回路装置１６に適当な電力を供給する。
【００２０】
冷却ファンユニット１５は、ファン、モータ等を備え、回路装置１６からの制御信号に基づいて、外装ケース１２内に給気したり外装ケース１２外に排気したりすることができ、外装ケース１２中に適当な流量で冷却用の気流を形成することができる。
【００２１】
回路装置１６は、詳細は省略するが、インターフェイス部１７を介して入力された外部信号に対して適当な画像処理を施す画像処理回路と、当該画像処理回路の出力に基づいて各液晶ライトバルブ３５ａ，３５ｂ，３５ｃを駆動する駆動回路と、これらの動作を監視・制御する制御装置とを備える映像回路である。なお、回路装置１６は、インターフェイス部１７に電気的に接続された回路基板を有してなり、インターフェイス部１７に接続された各種ケーブルからの外部信号を受け取って、この外部信号に対して適当な処理を施すとともに、インターフェイス部１７に接続された各種ケーブルを介して処理済みの内部信号を外部に出力する。また、回路装置１６は、操作パネル２１に電気的に接続されており、ユーザの指令を操作パネル２１を介して受け取ることができるようになっている。
【００２２】
図３は、図１のプロジェクタ１０に設けたインターフェイス部１７を説明するための拡大図である。インターフェイス部１７は、前面側のインターフェイスパネル部材４１と、インターフェイスパネル部材４１の背後に配置されるコネクタブロック４３とを備える。
【００２３】
前者のインターフェイスパネル部材４１は、板状の部材であり、７つのコネクタ用開口ＡＰ１〜ＡＰ７と、２つの固定ネジ用開口ＡＰ２１，２２とを有する。後者のコネクタブロック４３は、７つの本体コネクタＢＣ１〜ＢＣ７を備え、これら本体コネクタＢＣ１〜ＢＣ７は、基板４５上に固定されている。各本体コネクタＢＣ１〜ＢＣ７は、複数の外部ケーブルコネクタ（不図示）と嵌合し及び紙面に垂直な軸方向に摺動することによってこれらに接続される固定側接続端Ｅ１〜Ｅ７をそれぞれ有しており、各固定側接続端Ｅ１〜Ｅ７は、インターフェイスパネル部材４１に設けたコネクタ用開口ＡＰ１〜ＡＰ７を介して外部に露出している。
【００２４】
コネクタブロック４３に取り付けられた本体コネクタＢＣ１〜ＢＣ７のうち、第１本体コネクタＢＣ１はリモート制御インターフェイス用のミニ端子であり、第２本体コネクタＢＣ２はＵＳＢ（ＴｙｐｅＢ）端子であり、第３本体コネクタＢＣ３は音声入出力用のピン端子であり、第４本体コネクタＢＣ４は映像入出力用のピン端子であり、第５本体コネクタＢＣ５は映像入力用のＳ端子であり、第６本体コネクタＢＣ６は映像入力用のＤｓｕｂ端子であり、第７本体コネクタＢＣ７は別のＵＳＢ端子（ＴｙｐｅＡ）である。なお、以上は例示であり、以上の本体コネクタＢＣ１〜ＢＣ７とは異なる種類の端子を第１本体コネクタＢＣ１に設けることもでき、以上の本体コネクタＢＣ１〜ＢＣ７等を図示するものとは異なる配列でコネクタブロック４３側に固定することができる。
【００２５】
各本体コネクタＢＣ１〜ＢＣ７の固定側接続端Ｅ１〜Ｅ７を露出させるコネクタ用開口ＡＰ１〜ＡＰ７は、固定側接続端Ｅ１〜Ｅ７の外周輪郭よりも僅かに大きなサイズを有している。一方、コネクタ用開口ＡＰ１〜ＡＰ７は、本体コネクタＢＣ１〜ＢＣ７に接続される外部ケーブルコネクタの接続端の周囲にはみ出したつまみ部分等よりも小さくなっている。よって、コネクタブロック４３から離間するようにインターフェイスパネル部材４１を前方（紙面手前側）に移動させ動作によって、各本体コネクタＢＣ１〜ＢＣ７に接続された不図示の外部ケーブルコネクタを一括して引き抜くことができる。
【００２６】
なお、第６本体コネクタＢＣ６については、固定側接続端Ｅ６の両側に一対の挿入口４７を設けている。これらの挿入口４７は、後に詳述するが、不図示の外部ケーブルコネクタに設けた固定用の雄ネジを受け入れるための受容部の一部を構成するものとなっている。インターフェイスパネル部材４１には、上記挿入口４７に外部ケーブルコネクタの雄ネジを通すため、挿入口４７に対向して固定ネジ用開口ＡＰ２１，２２が形成されている。
【００２７】
図４は、第６本体コネクタＢＣ６の拡大正面図である。第６本体コネクタＢＣ６は雌型コネクタであり、外部ケーブルコネクタである不図示の雄型コネクタと嵌合する。第６本体コネクタＢＣ６の固定側接続端Ｅ６は、断面台形状のプラグ状突起であり、その周囲には、側面接合金具５１が形成されており、端面５２には、一定間隔で配列されたコネクタ穴５３が形成されている。固定側接続端Ｅ６の両脇には、不図示の外部ケーブルコネクタすなわち雄型コネクタに設けた固定用の雄ネジを受け入れる挿入口４７が形成されている。両挿入口４７の背後には、不図示の雄型コネクタに設けた固定用の雄ネジを受け入れるとともに当該雄ネジの離脱を一定範囲で制限するクリップ状部材６１が取り付けられている。
【００２８】
図５（ａ）、（ｂ）は、図４に示すクリップ状部材の構造を説明する正面図であり、図５（ｃ）は、クリップ状部材の構造を説明する側面図である。クリップ状部材６１は、板バネ状の材料を加工したものであり、不図示の部材に固定される固定部６１ａと、この固定部６１ａの上下端から延びる開閉部材６１ａ，６１ｂと、開閉部材６１ａ，６１ｂの先端に設けたカール部６１ｄ，６１ｅとを備える。
【００２９】
図５（ａ）に示す非接続状態では、クリップ状部材６１の開閉部材６１ａ，６１ｂの先端が略閉じている。一方、図５（ｂ）に示す接続状態では、クリップ状部材６１の開閉部材６１ａ，６１ｂの先端が開いて、両カール部６１ｄ，６１ｅ間に雄型コネクタから延びる雄ネジ８１の先端を対向する上下側面方向から保持することになる。図５（ｃ）に示すように、両カール部６１ｄ，６１ｅの対向する面は滑らかな凸面となっており、雄ネジ８１が一定以上の力で押し込まれた場合その挿入を許容するようになっているが、雄ネジ８１に引き抜く力が与えられた場合一定の力で抜けを防止する役割を有する。
【００３０】
図６は、図４等に示す第６本体コネクタと外部ケーブルコネクタとの接続状態を説明する側面図である。
【００３１】
前者の第６本体コネクタＢＣ６は、図５で説明したクリップ状部材６１の他に、外部ケーブルコネクタ８０に接続される固定側接続端Ｅ６と、当該固定側接続端Ｅ６を根元側から支持するとともに図２の回路装置１６側に結線される端子ピンを有する基部７１と、クリップ状部材６１や基部７１を収納するケーシング７２とを備える。なお、以上のうちケーシング７２は、図３でも説明した基板４５に取り付けられて固定されている。また、固定側接続端Ｅ６は、コネクタ用開口ＡＰ６を介してインターフェイスパネル部材４１の表面から外部ケーブルコネクタ８０側に突起した状態とされている。
【００３２】
後者の外部ケーブルコネクタ８０は、第６本体コネクタＢＣ６の固定側接続端Ｅ６に外嵌される着脱側接続端８３と、当該着脱側接続端８３を根元側から支持するとともにケーブル８９中に被覆された多数の信号線にそれそれ結線される多数の端子ピンを内蔵するつまみ部分であるハウジング８５と、当該ハウジング８５に形成された貫通孔８５ａに通される雄ネジ８１とを備える。なお、以上のうち着脱側接続端８３は、固定側接続端Ｅ６の外周を囲むような枠状体であり、着脱側接続端８３の内側の凹部には、図示を省略するが、固定側接続端Ｅ６に設けたコネクタ穴５３（図４参照）に差し込まれる複数のコネクタピンを有する。また、雄ネジ８１の先端は、挿入口４７を介して第６本体コネクタＢＣ６内部に押し込むことができる。つまり、外部ケーブルコネクタ８０を取り付けた場合、着脱側接続端８３が固定側接続端Ｅ６を包むような嵌め合わせ結合状態となり、この状態で雄ネジ８１を第６本体コネクタＢＣ６側に押し出すと、一点鎖線で示すように、雄ネジ８１がクリップ状部材６１の開閉部材６１ａ，６１ｂの先端をこじ開けるように押し開き、カール部６１ｄ，６１ｅ間に雄ネジ８１の先端を軽く固定することができる。
【００３３】
図７は、外部ケーブルコネクタ８０等の一括取外機構９０を説明する図である。この一括取外機構９０は、外部ケーブルコネクタ８０とインターフェイスパネル部材４１とを離間させるための離間機構であり、本体コネクタＢＣ１〜ＢＣ７（図１参照）すなわちコネクタブロック４３を支持するフレーム部材９１と、フレーム部材をＡＢ方向にスライド移動可能に保持するガイド部材９３と、ユーザの操作によって動作する押しボタン機構９５とを備える。
【００３４】
以上のうち、フレーム部材９１は、実線で示す接続位置と、一点鎖線で示す退避位置との間で約１ｃｍ程度移動可能となっている。なお、図示の場合、第６本体コネクタＢＣ６のみを図示しているが、図１に示す他の本体コネクタＢＣ１〜ＢＣ５，ＢＣ７も、コネクタブロック４３の一部として、第６本体コネクタＢＣ６同様にフレーム部材９１にしっかりと固定されている。
【００３５】
ガイド部材９３は、内側にフレーム部材９１の下部を支持するガイド溝９３ａを有しており、フレーム部材９１のＡＢ方向の滑らかな移動を可能にしている。なお、ガイド部材９３は、外装ケース１２側に固定されている。同様に、フレーム部材９１の後方すなわち図面右側のインターフェイスパネル部材４１も、外装ケース１２側に固定されている。
【００３６】
押しボタン機構９５は、外装ケース１２の上面１２ｂに形成された開口１２ｄに嵌め込まれた押しボタン９５ａと、押しボタン９５ａの下方に延びるロッド９５ｂと、ロッド９５ｂの下端側を案内する案内部材９５ｄと、案内部材９５ｄによって下端で支持され押しボタン９５ａを上方に付勢するバネ９５ｅとを備える。このうち押しボタン９５ａは、ユーザが操作するためのものであり、ユーザが押しボタン９５ａを押すことにより、ロッド９５ｂとともに一点鎖線のように押し下げられた状態となる。ロッド９５ｂの下端は、フレーム部材９１に設けた当接部材９１ｂの斜面に当接しており、ロッド９５ｂが一点鎖線のように押し下げられることによって、フレーム部材９１が実線で示す接続位置から一点鎖線で示す退避位置に移動する。なお、ユーザが押しボタン９５ａを放した場合、押しボタン９５ａが実線の状態に戻って、不図示の付勢部材によって前方すなわち図面右側に付勢されているフレーム部材９１も、実線の状態に戻る。
【００３７】
なお、押しボタン機構９５のうちロッド９５ｂ、案内部材９５ｄ、及びバネ９５ｅと、フレーム部材９１のうち当接部材９１ｂと、フレーム部材９１を支持するガイド部材９３とは、コネクタブロック４３をインターフェイスパネル部材４１から離間するように移動させる移動機構となっている。
【００３８】
以下、一括取外機構９０の動作について説明する。図７に示す状態において、第６本体コネクタＢＣ６の固定側接続端Ｅ６等が、インターフェイスパネル部材４１から露出した状態となっている。そして、固定側接続端Ｅ６には、外部ケーブルコネクタ８０の着脱側接続端８３が勘合して固定されている。この際、図６に示すように、外部ケーブルコネクタ８０に設けた雄ネジ８１がクリップ状部材６１に一定上の力で差し込まれて固定される。この状態で、不図示のロックを解除し、フレーム部材９１の移動を許容する状態とする。次に、ユーザが押しボタン９５ａを押し下げると、ロッド９５ｂが押し下げられ、フレーム部材９１が実線で示す接続位置から一点鎖線で示す退避位置に移動する。この結果、固定側接続端Ｅ６等がインターフェイスパネル部材４１の奥に引っ込んだ状態となる。一方、外部ケーブルコネクタ８０は、ハウジング８５が制限部材となって同一位置に保持されるので、固定側接続端Ｅ６と着脱側接続端８３とが分離されて、外部ケーブルコネクタ８０の切り離しが完了する。以上の説明では、第６本体コネクタＢＣ６から外部ケーブルコネクタ８０を切り離す場合について説明したが、フレーム部材９１に固定された他の本体コネクタＢＣ１〜ＢＣ５，ＢＣ７（図１、３参照）も、押しボタン９５ａの押し下げによって、第６本体コネクタＢＣ６同様に動作する。これに伴って、他の本体コネクタＢＣ１〜ＢＣ５，ＢＣ７から対応する外部ケーブルコネクタを切り離すことができる。
【００３９】
以上説明した実施形態のプロジェクタ１０によれば、押しボタン機構９５によりインターフェイスパネル部材４１からコネクタブロック４３を離間させることによって、外装ケース１２に触ることなく、外部ケーブルコネクタ８０等のすべてを本体コネクタＢＣ１〜ＢＣ７から一括して引き抜く作業が可能になる。このようにして引き抜かれた本体コネクタＢＣ１〜ＢＣ７は、個別に独立した状態で切り離されている。つまり、ワンタッチの切り離しが可能であり、熱くなった外装ケース１２に触る必要がないので、ユーザにとってプロジェクタ１０の片づけ作業が簡易なものとなる。しかも、雄ネジ８１付の外部ケーブルコネクタ８０を迅速に切り離すことができ、かつ、かかる外部ケーブルコネクタ８０の固定も一定以上の確かさを有するものとなり、外部ケーブルコネクタ８０の意図しない脱落を防止することができる。
【００４０】
〔第２実施形態〕
以下、第２実施形態のプロジェクタについて説明する。なお、第２実施形態のプロジェクタは、第１実施形態のプロジェクタを一部変更したものであり、同一部分には同一の符号を付して重複説明を省略する。また、特に説明しない部分については、第１実施形態と同様であるものとする。
【００４１】
図８は、図７に相当する図である。図示の一括取外機構１９０は、本体コネクタＢＣ１〜ＢＣ７（図１参照）を支持するフレーム部材１９１と、インターフェイスパネル部材４１をＡＢ方向にスライド移動可能に保持するガイド部材１９３と、押しボタン機構９５とを備える。
【００４２】
以上のうち、フレーム部材１９１は、第６本体コネクタＢＣ６等を含むコネクタブロック４３を支持した状態で外装ケース１２側に固定されている。
【００４３】
ガイド部材１９３は、ガイド溝１９３ａによって、インターフェイスパネル部材４１から延びる可動部材１４１ｍを滑らかに移動可能に支持している。つまり、インターフェイスパネル部材４１は、可動部材１４１ｍとともにＡＢ方向に移動可能となっている。なお、ガイド部材１９３は、外装ケース１２側に固定されている。
【００４４】
押しボタン機構９５において、ユーザが押しボタン９５ａを押し下げると、押しボタン９５ａから延びるロッド９５ｂの下端が押し下げられ、可動部材１４１ｍが実線で示す接続位置から一点鎖線で示す突出位置に移動する。
【００４５】
以下、一括取外機構１９０の動作について説明する。図８に示す状態において、ユーザが押しボタン９５ａを押し下げると、ロッド９５ｂが押し下げられ、インターフェイスパネル部材４１から延びる可動部材１４１ｍが実線で示す接続位置から一点鎖線で示す突出位置に移動する。結果的に、固定側接続端Ｅ６等がインターフェイスパネル部材４１の奥に引っ込んだ状態となる。一方、外部ケーブルコネクタ８０は、ハウジング８５が係止部材となってインターフェイスパネル部材４１とともに移動するので、固定側接続端Ｅ６と着脱側接続端８３とが分離されて、外部ケーブルコネクタ８０の切り離しが完了する。以上の説明では、第６本体コネクタＢＣ６から外部ケーブルコネクタ８０を切り離す場合について説明したが、フレーム部材９１に固定された他の本体コネクタＢＣ１〜ＢＣ５，ＢＣ７（図１、３参照）についても、同様の手法で、対応する外部ケーブルコネクタから切り離すことができる。
【００４６】
〔第３実施形態〕
以下、第３実施形態のプロジェクタについて説明する。なお、第３実施形態のプロジェクタは、第１実施形態のプロジェクタを一部変更したものであり、特に説明しない部分については、第１実施形態と同様であるものとする。
【００４７】
図９は、第１実施形態の図５（ｃ）に相当する図である。この場合、クリップ状部材２６１は、板バネ状の材料を加工したものであり、不図示の部材に固定される固定部６１ａと、この固定部６１ａの上下端から延びる開閉部材６１ａ，６１ｂと、開閉部材６１ａ，６１ｂの先端に設けた雌ネジ状係止部２６１ｄ，２６１ｅとを備える。
【００４８】
開閉部材６１ａ，６１ｂの間には、軸ＡＸに支持されて回転可能なカム部材２６７と、カム部材２６７とともに回転するレバー部材２６８とからなる駆動部材２６０が配置されている。適当なロッド部材２６９を利用して駆動部材２６０を反時計方向に回転させると、両開閉部材６１ａ，６１ｂの先端が離間し、両雌ネジ状係止部２６１ｄ，２６１ｅも離間する。これにより、雄ネジ８１が開放され雄ネジ８１の係止状態が解除される。なお、ロッド部材２６９を放せば、駆動部材２６０が時計方向に回転してクリップ状部材２６１が元の状態に復帰する。
【００４９】
以上のロッド部材２６９は、図７で設した押しボタン機構９５に連結されており、押しボタン９５ａの押し下げに連動して両雌ネジ状係止部２６１ｄ，２６１ｅを離間させることができるようになっている。
【００５０】
なお、この発明は、上記の実施形態に限られるものではなく、その要旨を逸脱しない範囲において種々の態様で実施することが可能であり、例えば次のような変形も可能である。
【００５１】
例えば、上記実施形態では、コネクタブロック４３に取り付けられる本体コネクタＢＣ１〜ＢＣ７として、リモート制御インターフェイス用のミニ端子、ＵＳＢ端子、音声入出力や映像入力用のピン端子、映像入力用のＳ端子、映像入力用のＤｓｕｂ端子等を例示したが、これらに限らず、例えばＲＣＡ端子、ＬＡＮ（ＲＪ４５）端子、ＤＶＩ端子等の各種端子を備えてもよいし、異なる信号線数のＤｓｕｂ端子を備えてもよいし、ＲＣＡ端子やＤｓｕｂ端子が映像入出力用であるなど用途の異なる各種端子を備えてもよい。また、プロジェクタに限らず、液晶ディスプレイ、パーソナルコンピュータ等の各種画像処理装置に本発明を適用することができる。
【００５２】
また、押しボタン機構９５等は、機械機構に限らず、モータを利用した電動機構とすることもできる。
【図面の簡単な説明】
【００５３】
【図１】第１実施形態に係るプロジェクタの外観を説明する斜視図である。
【図２】第１実施形態に係るプロジェクタの内部構造を示す平面図である。
【図３】プロジェクタのインターフェイス部を説明するための拡大図である。
【図４】第６本体コネクタの拡大正面図である。
【図５】（ａ）〜（ｃ）は、クリップ状部材の構造を説明する図である。
【図６】第６本体コネクタと外部ケーブルコネクタとの接続を説明する図である。
【図７】外部ケーブルコネクタ等の一括取外機構を説明する図である。
【図８】第２実施形態に係るプロジェクタの要部を説明する図である。
【図９】第３実施形態に係るプロジェクタの要部を説明する図である。
【符号の説明】
【００５４】
１０…プロジェクタ、  １２…外装ケース、  １３…映像光学系、  １４…電源装置、  １６…回路装置、  １７…インターフェイス部、  ２１…操作パネル、  ３８…投射レンズ、  ４１…インターフェイスパネル部材、  ４３…コネクタブロック、  ４５…基板、  ４７…挿入口、  ６１…クリップ状部材、  ６１ａ，６１ｂ…開閉部材、  ８０…外部ケーブルコネクタ、  ８１…雄ネジ、  ８３…着脱側接続端、  ８５ａ…貫通孔、  ８９…ケーブル、  ９０…一括取外機構、  ９１…フレーム部材、  ９３…ガイド部材、  ９５…ボタン機構、  ９５ａ…ボタン、  ９５ｂ…ロッド、  ９５ｄ…案内部材、  ９５ｅ…バネ、  ＡＰ１〜ＡＰ７…コネクタ用開口、  ＡＰ２１，２２…固定ネジ用開口、  ＢＣ１〜ＢＣ７…本体コネクタ、  Ｅ１〜E７…固定側接続端
【図１】
2006293122.tif 000003
【図２】
2006293122.tif 000004
【図３】
2006293122.tif 000005
【図４】
2006293122.tif 000006
【図５】
2006293122.tif 000007
【図６】
2006293122.tif 000008
【図７】
2006293122.tif 000009
【図８】
2006293122.tif 000010
【図９】
2006293122.tif 000011